(57)【要約】【課題】容易に取り付けることができず、また、長期間使用することができる真贋判定用シートを提供すること。【解決手段】エレクトロルミネッセンスフィルム１０１の表面１０１ａに織物シート１０２を縫合することにより形成された織ネーム１００を提供する。【選択図】図１
2004170837.tif 000002
【特許請求の範囲】
【請求項１】
糸状のエレクトロルミネッセンス発光体を織り込んだ真贋判定用シート。
【請求項２】
基台シートに、糸状のエレクトロルミネッセンス発光体により文字又は模様を施した真贋判定用シート。
【請求項３】
フィルム状のエレクトロルミネッセンス発光体により形成した真贋判定用シート。
【請求項４】
フィルム状のエレクトロルミネッセンス発光体の表面に織物を取り付けることにより形成した真贋判定用シート。
【請求項５】
前記エレクトロルミネッセンス発光体は、無機エレクトロルミネッセンス発光体であることを特徴とする請求項１乃至４の何れか一項に記載の真贋判定用シート。
【請求項６】
前記真贋判定用シートからなる織ネーム。
【発明の詳細な説明】
【０００１】
【発明の属する技術分野】
本発明は、真贋判定用シートに関し、特に、エレクトロルミネッセンス発光体を用いた真贋判定用シートに関する。
【０００２】
【従来の技術】
シャツやスカートといった衣料品、バックや靴といった身の回り品等のブランドによる信用力を維持するため、衣料品等の真贋を判定する技術が様々提案されているが、その一例として、特開平１０−２０７３７０号公報に記載された織ネームの技術がある。
【０００３】
特開平１０−２０７３７０号公報に記載された織ネームは、特殊な発光体を織ネームに印刷しておき、この発光体に特殊な光源から光を照射することにより、前述の発光体を発光させて、真贋を判定するようにされている。
【０００４】
【特許文献１】
特開平１０−２０７３７０号公報。
【０００５】
【発明が解決しようとする課題】
しかしながら、特開平１０−２０７３７０号公報に記載された織ネームでは、近年の印刷技術の進展により、容易に織ネームに特殊な発光体を印刷することができるようになってきており、また、織ネームに特殊な発光体を印刷したのでは、時間の経過や洗濯により発光体が剥がれてしまうこともあった。
【０００６】
そこで、本発明は、後から容易に取り付けることができず、また、長期間使用することができる真贋判定用シートを提供することを目的とする。
【０００７】
【課題を解決するための手段】
以上の課題を解決するため、本発明は、糸状のエレクトロルミネッセンス発光体を織り込んだ真贋判定用シートを提供する。
【０００８】
エレクトロルミネッセンス発光体は、半導体に電圧又は電流を印可することにより発光が生じるようにしたものであって、発光体として硫化亜鉛（ＺｎＳ）等の無機化合物を用いたものを無機エレクトロルミネッセンス発光体といい、発光体としてジアミン類などの有機化合物を用いたものを有機エレクトロルミネッセンス発光体という。
【０００９】
ここで、本発明では、小型化及び柔軟性に優れている無機エレクトロルミネッセンス発光体を用いることが望ましい。
【００１０】
本発明では、エレクトロルミネッセンス発光体を糸状に形成している。
【００１１】
糸状のエレクトロルミネッセンス発光体は、例えば、銅線等の中心電極を中心として、その周囲に発光層と、透明電極と、保護膜と、を順番に巻回することにより形成することができる。
【００１２】
このように糸状に形成されたエレクトロルミネッセンス発光体を織り込むことにより、例えば、糸状に形成されたエレクトロルミネッセンス発光体を縦糸又は横糸として使用して織り込むことにより、シート状に形成し、本発明に係る真贋判定用シートを形成することができる。
【００１３】
なお、エレクトロルミネッセンス発光体の織り込み方については、適時選択可能な設計事項であるが、特定の模様が浮き出るように形成することで、真贋の判定が容易になるとともに、容易に偽造することが難しくなる。
【００１４】
また、本発明は、基台シートに、糸状のエレクトロルミネッセンス発光体により文字又は模様を施した真贋判定用シートを提供する。
【００１５】
基台シートは、シャツ、ズボン等の衣料品やバック、靴等の身の回り品に取り付けることができるものであればよく、例えば、縦糸と横糸を織り込むことにより形成されている織物等がある。
【００１６】
糸状のエレクトロルミネッセンス発光体については、上述と同様であり、このような糸状のエレクトロルミネッセンス発光体により、文字や模様を施し、このエレクトロルミネッセンス発光体に電圧又は電流をかけることで発光させて真贋を判定することができるようにしている。
【００１７】
また、本発明は、フィルム状のエレクトロルミネッセンス発光体により形成した真贋判定用シートを提供する。
【００１８】
フィルム状のエレクトロルミネッセンス発光体は、例えば、発光層を透明電極と背面電極で挟み込み、これら透明電極と背面電極の外側をさらに保護膜で覆うことにより形成することができる。
【００１９】
このような、フィルム状のエレクトロルミネッセンス発光体には、文字や模様を刺繍又は印刷等もすることができるが、フィルム状のエレクトロルミネッセンス発光体の表面に文字や模様を刺繍・印刷した織物を取り付けることもできる。
【００２０】
即ち、フィルム状に形成されたエレクトロルミネッセンス発光体の表面、即ち、透明電極の側に織物を縫合等により取り付けることにより、真贋判定用シートとすることができる。
【００２１】
以上のように形成される真贋判定用シートは、ズボン、シャツ等の衣料、鞄、靴等の身の回り品に取り付けることで、電圧を印加し、又は、電流を流すことで発光するため、このような発光体を有していないシートとの間で、真贋を判定することができる。
【００２２】
このような真贋判定用シートは、衣料、鞄、靴等に取り付けておけばよいが、例えば、このような真贋判定用シートにより織ネームを形成しておくことで、別個に取り付ける工程を省略することができ便利である。
【００２３】
なお、織ネームとは、衣料の内側に縫いつけてあるブランドやメーカー名、材質やサイズ、洗濯の仕方などを表示する織物のシートをいう。
【００２４】
【発明の実施の形態】
図１は、本発明の一実施形態に係る織ネーム１００の分解斜視図である。
【００２５】
織ネーム１００は、エレクトロルミネッセンスフィルム１０１の表面１０１ａに織物シート１０２を縫合することにより構成されている。
【００２６】
エレクトロルミネッセンスフィルム１０１は、図２に表されているように、発光層１０３を透明電極１０４と背面電極１０５とにより挟み、透明電極１０４と背面電極１０５とは保護膜１０６により覆われている。
【００２７】
ここで、本実施形態では、発光層１０３を硫化亜鉛（ＺｎＳ）にマンガン（Ｍｎ）を添加したものを用いている。
【００２８】
織物シート１０２は、エレクトロルミネッセンスフィルム１０１の表面１０１ａ、即ち、図２に示されている透明電極１０４側に縫合されている。
【００２９】
織物シート１０２には、ブランド名その他の情報の刺繍１０３が施されている。
【００３０】
本実施形態では、エレクトロルミネッセンスフィルム１０１を用いたが、例えば、織物シート１０２を、縦糸は綿糸を使用し、横糸は図３に表している糸状のエレクトロルミネッセンス発光体１０７を使用して織り込むこともできる。
【００３１】
なお、縦糸にエレクトロルミネッセンス発光体１０７を使用することもでき、また、横糸及び縦糸の両方ともエレクトロルミネッセンス発光体１０７を使用することもできる。
【００３２】
また、糸状のエレクトロルミネッセンス発光体１０７により刺繍１０３を施すこともできる。
【００３３】
糸状のエレクトロルミネッセンス発光体１０７は、図３に表されているように、中心電極１０８を中心として、その周囲に円筒状発光層１０９と、円筒状透明電極１１０と、円筒状保護膜１１１とを順番に巻回することで形成されている。
【００３４】
このようにして、糸状のエレクトロルミネッセンス発光体１０７を用いることで、織物シート１０２をそのまま織ネームとして使用することが可能となる。
【００３５】
以上のように形成されている織ネーム１００は、図４に表されているように、電極１２０の間に挟み込み、インバーター１２１を介して任意の周波数の交流電圧を印加することで、発光するようになる。
【００３６】
なお、電極１２０には、エレクトロルミネッセンスフィルム１０１の保護膜１０６を貫通して、透明電極１０４又は背面電極１０５に電圧を印加することができるように、相対向している電極１２０に向かって凸となるように針部１２２を形成してある。
【００３７】
このような織ネーム１００を衣料や身の回り品に取り付けておくことにより、発光する織ネーム１００とエレクトロルミネッセンスフィルム１０１を有しないで発光しない織ネームとの間で真贋の判定をすることができる。
【００３８】
【発明の効果】
以上のように、本発明によれば、容易に取り付けることができず、また、長期間使用することができる真贋判定用シートを提供することができる。
【図面の簡単な説明】
【図１】織ネーム１００の分解斜視図。
【図２】エレクトロルミネッセンスフィルム１０１の分解構成図。
【図３】糸状のエレクトロルミネッセンス発光体１０７の構成図。
【図４】織ネーム１００を発光させる際の概略図。
【図５】電極１２０の拡大図。
【符号の説明】
１００  織ネーム
１０１  エレクトロルミネッセンスフィルム
１０２  織物シート
【図１】
2004170837.tif 000003
【図２】
2004170837.tif 000004
【図３】
2004170837.tif 000005
【図４】
2004170837.tif 000006
【図５】
2004170837.tif 000007